(57)【要約】      （修正有）【課題】個々のセル及び他のバッテリコンポーネントの性能のばらつきによる影響を受けないバッテリセル及び電気部品をスクリーニング及びマッチングするための方法の提供。【解決手段】１つ又は複数のバッテリセル１１０及び１つ又は複数の電気部品１１２の電気的配置を含むバッテリ用設計レイアウトを決定し、バッテリで使用可能なバッテリセル及び電気部品のバッチの動作パラメータを決定するとともに、設計レイアウトの電気的配置のための少なくとも１つのバッテリセル及び少なくとも１つの電気部品を選択し、更に、少なくとも１つのバッテリセル及び少なくとも１つの電気部品の動作パラメータを比較するとともに、少なくとも１つのバッテリセル及び少なくとも１つの電気部品の動作パラメータが所定閾値内であると判断し、少なくとも１つのバッテリセル及び少なくとも１つの電気部品を設計レイアウトの組み合わせ候補として選択する、方法。【選択図】図１
2017098228.tif 000002
【特許請求の範囲】
【請求項１】
バッテリの所望の性能を達成すべく、１つ又は複数のバッテリセル及び１つ又は複数の電気部品の電気的配置を含む、前記バッテリ用の設計レイアウトを決定し、
前記バッテリにおいて使用可能な一バッチ分のバッテリセル及び電気部品それぞれの動作パラメータを決定し、
バッテリセル及び電気部品の前記バッチから、前記設計レイアウトの前記電気的配置のための、少なくとも１つのバッテリセル及び少なくとも１つの電気部品を選択し、
前記少なくとも１つのバッテリセル及び少なくとも１つの電気部品の前記動作パラメータを比較し、
少なくとも部分的に前記比較に基づいて、前記少なくとも１つのバッテリセル及び少なくとも１つの電気部品の前記動作パラメータが所定閾値内であると判断し、
前記少なくとも１つのバッテリセル及び少なくとも１つの電気部品を、前記設計レイアウトの組み合わせ候補として選択し、
前記組み合わせ候補の指標を与える、方法。
【請求項２】
更に、
ユーザのために、前記バッテリの前記所望の性能を受信し、
前記バッテリの前記所望の性能を達成する前記設計レイアウトを生成する、請求項１に記載の方法。
【請求項３】
前記動作パラメータの判断に際して、
実際の条件下において、前記バッチにおける、１つ又は複数のバッテリセルの性能及び１つ又は複数の電気部品の性能をテストし、
前記１つ又は複数のバッテリセル及び前記１つ又は複数の電気部品の前記動作パラメータを計測する、請求項１又は２に記載の方法。
【請求項４】
更に、
前記設計レイアウトのために、１つ又は複数のバッテリセル及び１つ又は複数の電気部品の関連する電気配置を含む、前記設計レイアウトのサブコンポーネントを決定し、
前記組み合わせ候補を前記サブコンポーネントに関連付ける、請求項１〜３のいずれかに記載の方法。
【請求項５】
前記関連する電気配置は、直列回路又は並列回路のうちの少なくとも一方を含む、請求項４に記載の方法。
【請求項６】
更に、
前記設計レイアウトのために、１つ又は複数のバッテリセル及び１つ又は複数の電気部品の関連する電気配置を含む、前記設計レイアウトの追加のサブコンポーネントを決定し、
前記追加のサブコンポーネントのための第２組み合わせ候補を決定する、請求項４に記載の方法。
【請求項７】
更に、
前記組み合わせ候補及び前記第２組み合わせ候補のために、等価動作パラメータを決定し、
前記組み合わせ候補及び前記第２組み合わせ候補の前記等価動作パラメータを比較し、
少なくとも部分的に前記比較に基づいて、前記組み合わせ候補及び前記第２組み合わせ候補の前記等価動作パラメータが所定閾値内であると判断し、
前記設計レイアウトにおける、前記サブコンポーネントのための前記組み合わせ候補、及び、前記追加のサブコンポーネントのための前記第２組み合わせ候補を選択する、請求項６に記載の方法。
【請求項８】
前記動作パラメータは、前記バッテリセル及び前記電気部品の理論上の性能からの、前記バッテリセル及び前記電気部品の実際の動作のずれを含む、請求項１〜７のいずれかに記載の方法。
【請求項９】
命令を格納する１つ又は複数のメモリデバイスと、
前記１つ又は複数のメモリデバイスに接続されるとともに、前記命令を実行して請求項１〜８のいずれかに記載の方法を実行するように構成された１つ又は複数のプロセッサと、を含む、システム。
【請求項１０】
請求項１〜８のいずれかに記載の方法を実行するためのコンピュータ実行可能命令を有する、コンピュータ可読媒体。
【発明の詳細な説明】
【技術分野】
【０００１】
本開示は、バッテリセル及び電気部品をスクリーニング及びマッチングするためのシステム及び方法に関する。
【背景技術】
【０００２】
現在、大型のバッテリは、複数のバッテリセルと複数の電気部品とを、様々な電気的配置で接続することにより構成することができる。また、大型バッテリは、一般に市販されているバッテリセルからなるモジュラーサブユニットで形成することができる。大型バッテリに小型セルを用いる場合、一つのバッテリ内のセル総数は、数百ないし数千に及ぶ。このため、バッテリ性能は、個々のセル及び他のバッテリコンポーネントの性能のばらつきによる影響を受けるおそれがある。
【発明の概要】
【０００３】
本開示の種々の側面は、バッテリ用の設計レイアウトを決定することを含む方法に関する。当該設計レイアウトは、前記バッテリの所望の性能を達成するための、１つ又は複数のバッテリセル及び１つ又は複数の電気部品の電気的配置を含む。上記方法は、前記バッテリにおいて使用可能なバッテリセル及び電気部品のバッチの動作パラメータを決定することを含む。これに加えて、上記方法は、バッテリセル及び電気部品の前記バッチから、前記設計レイアウトの前記電気的配置のための、少なくとも１つのバッテリセル及び少なくとも１つの電気部品を選択することを含む。上記方法は、更に、前記少なくとも１つのバッテリセル及び少なくとも１つの電気部品の前記動作パラメータを比較することを含む。また、上記方法は、少なくとも部分的に前記比較に基づいて、前記少なくとも１つのバッテリセル及び少なくとも１つの電気部品の前記動作パラメータが所定閾値内であると判断することを含む。上記方法は、前記少なくとも１つのバッテリセル及び少なくとも１つの電気部品を、前記設計レイアウトの組み合わせ候補として選択することを含む。これに加えて、上記方法は、前記組み合わせ候補の指標を与えることを含む。
【０００４】
また、本開示の種々の側面は、命令を格納する１つ又は複数のメモリデバイスと、前記１つ又は複数のメモリデバイスに接続されたプロセッサを含むシステムに関する。前記１つ又は複数のプロセッサは、前記命令を実行して方法を実行するように構成されている。上記方法は、バッテリ用の設計レイアウトを決定することを含む。当該設計レイアウトは、前記バッテリの所望の性能を達成するための、１つ又は複数のバッテリセル及び１つ又は複数の電気部品の電気的配置を含む。上記方法は、前記バッテリにおいて使用可能なバッテリセル及び電気部品のバッチの動作パラメータを決定することを含む。これに加えて、上記方法は、バッテリセル及び電気部品の前記バッチから、前記設計レイアウトの前記電気的配置のための、少なくとも１つのバッテリセル及び少なくとも１つの電気部品を選択することを含む。上記方法は、更に、前記少なくとも１つのバッテリセル及び少なくとも１つの電気部品の前記動作パラメータを比較することを含む。また、上記方法は、少なくとも部分的に前記比較に基づいて、前記少なくとも１つのバッテリセル及び少なくとも１つの電気部品の前記動作パラメータが所定閾値内であると判断することを含む。上記方法は、前記少なくとも１つのバッテリセル及び少なくとも１つの電気部品を前記設計レイアウトの組み合わせ候補として選択することを含む。これに加えて、上記方法は、前記組み合わせ候補の指標を与えることを含む。
【０００５】
また、本開示の種々の側面は、１つ又は複数のプロセッサに方法を実行させる命令を格納する非一時的なコンピュータ可読媒体に関する。上記方法は、バッテリ用の設計レイアウトを決定することを含む。当該設計レイアウトは、前記バッテリの所望の性能を達成するための、１つ又は複数のバッテリセル及び１つ又は複数の電気部品の電気的配置を含む。上記方法は、前記バッテリにおいて使用可能なバッテリセル及び電気部品のバッチの動作パラメータを決定することを含む。これに加えて、上記方法は、バッテリセル及び電気部品の前記バッチから、前記設計レイアウトの前記電気的配置のための、少なくとも１つのバッテリセル及び少なくとも１つの電気部品を選択することを含む。上記方法は、更に、前記少なくとも１つのバッテリセル及び少なくとも１つの電気部品の前記動作パラメータを比較することを含む。また、上記方法は、少なくとも部分的に前記比較に基づいて、前記少なくとも１つのバッテリセル及び少なくとも１つの電気部品の前記動作パラメータが所定閾値内であると判断することを含む。上記方法は、前記少なくとも１つのバッテリセル及び少なくとも１つの電気部品を前記設計レイアウトの組み合わせ候補として選択することを含む。これに加えて、上記方法は、前記組み合わせ候補の指標を与えることを含む。
【図面の簡単な説明】
【０００６】
【図１】本開示の様々な側面に基づくテスト環境の例、およびバッテリ設計ツールを含むコンピュータシステムの例を示す図である。
【図２】本開示の様々な側面に基づくバッテリ設計プロセスの例を示す図である。
【図３Ａ】本開示の様々な側面に基づくバッテリ設計において、バッテリセル及び電気部品をマッチングするプロセスの例を説明するフローチャートの一部を示す図である。
【図３Ｂ】図３Ａに示すフローチャートの残りの部分を示す図である。
【図４Ａ】本開示の一側面に基づくバッテリ設計レイアウトの例を示す図である。
【図４Ｂ】２つのサブコンポーネントを示す、図４Ａの設計レイアウトの改変図である。
【図４Ｃ】上記２つのサブコンポーネントをより高位のサブコンポーネントに統合した状態を示す、図４Ｂの設計レイアウトの改変図である。
【図５】本開示の様々な側面に基づくコンピュータ装置のためのハードウェア構成の例を示す図である。
【図６】本開示の様々な側面に基づくバッテリ設計ツールの用途の例を示す図である。
【発明を実施するための形態】
【０００７】
簡潔性及び例示の観点から、本開示の原理について、主としてその様々な実施例に基づき説明する。しかしながら、当業者は、全てのタイプの情報及びシステムに対して同じ原理が同様に適用及び実施可能であること、及び、これらの変形例が、いずれも本開示の思想及び範囲から逸脱しないことを容易に理解するであろう。また、以下の詳細な説明においては、様々な実施態様の特定の例を示す添付図面を参照する。本開示の思想及び範囲から逸脱することなく、様々な実施例に対して論理的及び構造的な変更を加えることが可能である。よって、以下の詳細な説明は、限定的な意味で捉えられるべきではなく、本開示の範囲は、添付する請求の範囲及びその均等物により規定される。
【０００８】
図１は、本開示の側面に基づくテスト環境１００を示しており、同環境において、バッテリレイアウトがテストされ且つ決定される。図１は、テスト環境１００に含まれる様々なコンポーネントを示しているが、図１は、テスト環境の一例を示したものであり、更にコンポーネントを追加することもできるし、既存のコンポーネントを除くこともできる。
【０００９】
図１に示すように、テスト環境１００は、コンピュータシステム１０２を含む。テスト環境１００は、公共団体又は民間団体をサポートするために用いられる、これらの団体のコンピュータシステム及びネットワークハードウェアを表しており、そのような団体としては、政府機関、個人、企業、パートナーシップ、カンパニー、コーポレーションなど、様々なものがある。コンピュータシステム１０２は、テスト環境１００で動作するか、或いは、テスト環境１００をサポートする、任意のタイプの従来のコンピュータシステムである。例えば、コンピュータシステム１０２は、ファイルサーバ、ウェブサーバ、アプリケーションサーバ、データベースサーバ、Ｅメールサーバなど、テスト環境１００においてサービスを提供する様々なタイプのサーバを含む。また、例えば、コンピュータシステム１０２は、上述した団体のスタッフにより用いられるラップトップコンピュータ、デスクトップコンピュータ、タブレットコンピュータ、携帯電話などを含む。
【００１０】
これに加えて、例えば、テスト環境１００は、当該テスト環境１００をサポートする他のハードウェアシステム及びコンピュータシステムを含む。例えば、テスト環境１００は、ゲートウェイ、ルータ、無線アクセスポイント、ファイアウォールなどを含み、これらが、任意のタイプの通信ネットワークをサポートすることにより、テスト環境１００におけるコンピューティングシステムに通信を行わせる。何れの例においても、テスト環境１００におけるコンピュータシステム‐例えばコンピュータシステム１０２−は、プロセッサ、メモリ、ネットワークハードウェア、記憶装置などのハードウェア資源、及び、オペレーティングシステム（ＯＳ）、アプリケーションプログラムなどのソフトウェア資源を備えている。
【００１１】
本開示の側面によると、コンピュータシステム１０２は、バッテリ設計ツール１０４を実行するように構成されている。バッテリ設計ツール１０４は、複数のバッテリセル及び複数の電気部品を含むバッテリ設計において、バッテリセル１１０及び電気部品１１２を選別（スクリーニング）及びマッチングするように構成されている。例えば、バッテリ設計ツール１０４は、上記複数のバッテリセル１１０及び上記複数の電気部品１１２の動作パラメータを決定するとともに、これらのうち同様の動作パラメータを示すバッテリセル１１０及び電気部品１１２をマッチングするように構成されている。ある側面において、バッテリ設計ツール１０４は、コンピュータシステム１０２に格納され且つ当該コンピュータシステムにより実行可能なソフトウェアプログラムとして構成される。バッテリ設計ツール１０４は、ＪＡＶＡ（登録商標）、Ｃ＋＋、Ｐｙｔｈｏｎ、ＶｉｓｕａｌＢａｓｉｃ、ハイパーテキストマークアップ言語（ＨＴＭＬ）、拡張可能マークアップ言語（ＸＭＬ）などのプログラミング言語で書かれており、様々な動作システムやコンピューティングシステムのアーキテクチャなどに対応することができる。
【００１２】
バッテリ設計ツール１０４は、少なくとも部分的には、ユーザ１０６の制御下で動作するように構成されている。入力を受信し、ユーザ１０６に対して結果を出力するために、バッテリ設計ツール１０４は、ユーザインターフェース１０８を生成及び供給するように構成されている。ユーザインターフェース１０８は、ユーザ１０６がバッテリ設計ツール１０４と対話できるようにするための任意のタイプのコマンドライン及び／又はグラフィカルユーザインターフェース（ＧＵＩ）である。バッテリ設計ツール１０４は、ユーザインターフェース１０８を介して所定の制御、フォーム、レポートなどを提供することにより、ユーザ１０６が、バッテリ設計ツール１０４と対話し、本明細書で説明するプロセスを実行しうるように構成されている。
【００１３】
ある側面において、バッテリ設計ツール１０４により用いられる動作パラメータは、バッテリセル１１０及び電気部品１１２の実際の動作性能を示す任意の情報及びメトリクスを含む。例えば、バッテリセルの動作パラメータは、バッテリセルのアンペア時定格、バッテリの内部抵抗、バッテリの開回路電圧、バッテリの充電状態などを含む。一方、電気部品の動作パラメータは、例えば、異なる温度における等価抵抗、及び異なる温度における等価インピーダンスを含む。動作パラメータを決定するために、コンピュータシステム１０２は、テスト装置１１４に接続可能に構成されている。テスト装置１１４は、バッテリセル１１０及び電気部品１１２を実際の動作条件下に置く電気部品及び回路を含む。テスト装置１１４は、更に、実際の動作条件下におけるバッテリセル１１０及び電気部品１１２の動作パラメータを計測する１つ又は複数のセンサを含む。これに加えて、例えば、動作パラメータは、ＩＲ傾向(IR trends)及び容量傾向(capacity trends)などの計測データから計算されるパラメータを含む。
【００１４】
ある側面において、コンピュータシステム１０２は、リポジトリ１１６を含む。リポジトリ１１６は、バッテリ設計ツール１０４により用いられるデータを格納するように構成されている。例えば、リポジトリ１１６は、テスト装置１１４を用いてバッテリ設計ツール１０４により決定される動作パラメータを格納する。また、例えば、リポジトリ１１６は、データベースを格納しており、このデータベースは、バッテリセル１１０及び電気部品１１２の在庫目録(inventory)、並びに、バッテリセル１１０及び電気部品１１２の詳細に関する情報を含み、後者の情報としては、例えば、バッテリセル１１０及び電気部品１１２の各々の識別情報（例えば、シリアル番号）、バッテリセル１１０及び電気部品１１２の仕様、及びバッテリセル１１０及び電気部品１１２の理論動作パラメータ（例えば、製造者により指定された動作パラメータ）などがある。
【００１５】
ある側面において、コンピュータシステム１０２は、１つ又は複数のネットワーク１２０を介して、１つ又は複数のリポジトリ１１８に接続されている。例えば、リポジトリ１１８は、バッテリセル１１０及び電気部品１１２の製造者により操作及び維持される。バッテリ設計ツール１０４は、ネットワーク１２０を介して、リポジトリ１１８から、バッテリセル１１０及び電気部品１１２の詳細を取得するように構成される。ネットワーク１２０は、公共又は民間に関わらず、どのようなタイプのネットワークであってもよい。リポジトリ１１８は、契約に関する情報を格納する任意のタイプのコンピュータシステムで実現可能である。
【００１６】
図２は、バッテリセル及び電気部品からバッテリを設計するための、本開示の側面に基づくプロセス２００の一例を示す。図２において、実行可能な様々な工程が示されているが、いくつかの工程を除くこともできるし、新たな工程を追加することもできる。また、図示している工程は、任意の順序で実行することも可能である。
【００１７】
プロセスが開始されると、２０２においてバッテリ設計ツールが起動される。例えば、ユーザ１０６は、コンピュータシステム１０２上でバッテリ設計ツール１０４の実行を開始することができる。バッテリ設計ツール１０４は、起動されると、ユーザ１０６に対してユーザインターフェース１０８を供給する。ユーザインターフェース１０８により、ユーザ１０６は、バッテリ設計ツール１０４を操作することができる。
【００１８】
２０４において、バッテリ設計ツール１０４は、バッテリ用設計レイアウトを決定する。例えば、ユーザ１０６は、ユーザインターフェース１０８を介して、バッテリ用設計レイアウトを入力してもよい。また、例えば、ユーザ１０６は、バッテリに必要な条件を入力してもよく、バッテリ設計ツール１０４は、バッテリ用設計レイアウトを自動的に生成してもよい。また、例えば、バッテリ設計ツール１０４は、ユーザインターフェース１０８を介して、ユーザ１０６がバッテリのためのレイアウトを設計できるような回路設計インターフェースを提供してもよい。また、例えば、バッテリ設計ツール１０４は、異なるバッテリ構成のための１つ又は複数の設計レイアウトを格納してもよく、ユーザ１０６は、格納された設計レイアウトのうちの１つ又は複数を選択してもよい。
【００１９】
ある側面において、バッテリ用設計レイアウトは、バッテリに所望の性能を与えるために、バッテリセル及び電気部品で構成される回路図を含む。例えば、回路図は、バッテリに所望の性能を与えるために（例えば、所望の出力電圧、電流、寿命など）、様々な電気的配置（例えば、直列及び並列の回路構成）のバッテリセル及び電気部品を含む。
【００２０】
２０６において、バッテリ設計ツールは、一バッチ分のバッテリセル及び電気部品を決定する。例えば、バッテリ設計ツール１０４は、バッテリ用設計レイアウトに適合する、テスト及びスクリーニング用の複数のバッテリセル及び電気部品を選択する。ある側面において、バッテリセル及び電気部品のバッチは、バッテリ用設計レイアウトに必要なバッテリセル及び／又は電気部品の数よりも多いバッテリセル及び／又は電気部品を含む。これにより、設計ツールは、バッテリに最も適合するバッテリセル及び電気部品を見つけるとともに、動作パラメータに適合しない１つ又は複数のバッテリセル及び／又は電気部品を除くことができる。
【００２１】
２０８において、バッテリ設計ツールは、上記複数のバッテリセル及び電気部品それぞれの動作パラメータを決定する。例えば、バッテリ設計ツール１０４は、テスト装置１１４と通信することにより、バッテリセル１１０及び電気部品１１２などの、バッテリセル及び電気部品の動作パラメータを決定する。また、例えば、バッテリ設計ツール１０４は、バッテリセル及び電気部品を予めテストしておき、予めテストしたバッテリセル及び電気部品の動作パラメータを取得してもよい。
【００２２】
２１０において、バッテリ設計ツールは、バッテリ用設計レイアウトにおいて適合するバッテリセル及び電気部品の組み合わせを決定する。例えば、ある側面において、バッテリ設計ツール１０４は、バッテリセル及び電気部品の動作パラメータを比較する。この比較に基づいて、バッテリ設計ツール１０４は、どのバッテリセル及び電気部品が同様の動作パラメータを有しているかを判断する。同様の動作パラメータを有するバッテリセル及び電気部品は、バッテリセル及び電気部品の組み合わせ候補として選択される。
【００２３】
例えば、バッテリ設計ツール１０４は、バッテリ用設計レイアウトを検査して、当該設計レイアウトにおいて互いに関連する電気回路に含まれるバッテリセル及び電気部品‐例えば直列接続あるいは並列接続されたバッテリセル及び電気部品‐を決定する。そして、互いに関連する電気回路内のバッテリセル及び電気部品に対し、バッテリ設計ツール１０４は、選択されたバッチのバッテリセル及び電気部品の動作パラメータを比較して、同様の動作パラメータを有するバッテリセル及び電気部品をそれぞれ１つ又は複数個特定する。ある側面において、例えば、バッテリ設計ツール１０４が、動作パラメータが所定の閾値内にある１つ又は複数のバッテリセル及び電気部品を選択するようにしてもよい。所定の閾値内の動作パラメータを有するバッテリセル及び電気部品は、バッテリセル及び電気部品の組み合わせ候補として選択される。
【００２４】
ある側面において、バッテリ設計ツール１０４は、テスト装置１１４を用いて決定された動作パラメータを比較する。またある側面において、バッテリ設計ツール１０４は、テスト装置１１４を用いて決定された動作パラメータが、バッテリセル及び電気部品の理論上の性能からどの程度ずれているのかを特定する。例えば、バッテリ設計ツール１０４は、理論上の性能からの動作パラメータのずれに関する１つ又は複数の統計的尺度（例えば、標準偏差）を決定する。ある側面において、バッテリ設計ツール１０４は、バッテリセル及び電気部品の組み合わせ候補を決定する際に、動作パラメータのずれを用いる。
【００２５】
ある側面において、バッテリ設計ツール１０４は、バッテリ用設計レイアウトにおいて指定されたバッテリセル及び電気部品として用いることが可能な候補としてのバッテリセル及び電気部品の組み合わせを１つ又は複数選択する。また、バッテリ設計ツール１０４は、１つ又は複数のバッテリセル及び電気部品の組み合わせが候補であることを、当該１つ又は複数のバッテリセル及び電気部品の識別情報（例えば、シリアル番号）を、設計レイアウトにおける特定のバッテリセル及び電気部品に関連付けることにより示す。ある側面において、バッテリ設計ツール１０４は、バッテリ用設計レイアウトのためのバッテリセル及び電気部品の組み合わせ候補を１つだけ選択する。またある側面において、バッテリ設計ツール１０４は、バッテリ用設計レイアウトにおいて用いられる可能性のあるバッテリセル及び電気部品の組み合わせを複数選択する。
【００２６】
２１２において、バッテリ設計ツールは、バッテリ用設計レイアウトに適合するバッテリセル及び電気部品を出力する。例えば、ある側面において、バッテリ設計ツール１０４は、バッテリ用設計レイアウトの構成要素として用いられる可能性のあるバッテリセル及び電気部品の識別情報を出力する。ある側面において、バッテリ設計ツール１０４は、バッテリセル及び電気部品の候補の識別情報（例えば、シリアル番号）のリストを出力するとともに、当該設計レイアウト中の候補位置に関する指標を出力する。ある側面において、バッテリ設計ツール１０４は、バッテリセル及び電気部品の候補の識別情報（例えば、シリアル番号）が記録された設計レイアウトを出力する。
【００２７】
プロセス２００において、設計ツールは、様々なバッチのバッテリセル及び電気部品のマッチングプロセスを実行する。２１４において、設計ツールは、バッテリセル及び電気部品の新たなバッチをテストするか否かを決定する。新たなバッチをテストする場合、プロセス２００は、２０６に戻って、バッテリセル及び電気部品をマッチングする工程を繰り返す。新たなバッチをテストしない場合、プロセス２００は、２１６に進む。
【００２８】
２１６において、設計ツールは、バッテリのための異なる設計レイアウトについてマッチングプロセスを行うことができる。２１６において、設計ツールは、バッテリのための新たな設計レイアウトをテストするか否かを判断する。新たな設計レイアウトをテストする場合、プロセス２００は、２０４に戻る。新たな設計レイアウトをテストしない場合、プロセスは終了する。
【００２９】
ある側面によれば、プロセス２００は、反復プロセスに基づいて、バッテリセル及び電気部品のマッチングを行う。図３Ａ及び図３Ｂは、本開示の側面に基づく、バッテリセル及び電気部品をマッチングするプロセス３００の一例を示す。図３Ａ及び図３Ｂにおいて、実行可能な様々な工程が示されているが、いくつかの工程を除くこともできるし、新たな工程を追加することもできる。また、図示している工程は、任意の順序で実行することが可能である。
【００３０】
３０２において、バッテリ設計ツールは、バッテリセル及び電気部品に関する動作パラメータのずれを特定する。例えば、ある側面において、バッテリ設計ツール１０４は、動作パラメータを、バッテリセル及び電気部品の理論上の性能と比較する。例えば、バッテリ設計ツール１０４は、理論上の性能からの動作パラメータのずれに関する１つ又は複数の統計的尺度（例えば、標準偏差）を決定する。
【００３１】
例えば、バッテリ設計ツール１０４は、テスト装置１１４から送信され且つ記録されたデータをプロットする。バッテリ設計ツール１０４は、１つ又は複数の数理解析（例えば、ベストフィットアルゴリズムを実行して、ＩＲ傾向及び容量傾向などの、バッテリセル及び電気部品の動作パラメータを決定する。バッテリ設計ツール１０４は、理論上の性能（例えば、製造者により供給される性能データ）と比較した動作パラメータに対する統計分析を行うことにより、バッテリセル及び電気部品の各々の動作パラメータの標準偏差を決定する。
【００３２】
３０４において、バッテリ設計ツールは、バッテリ用設計レイアウトのサブコンポーネントを決定する。例えば、ある側面において、バッテリ設計ツール１０４は、バッテリ用設計レイアウトを検査するとともに、互いの性能に影響を与える関連した電気的構成となるようにグループ化されるバッテリセル及び電気部品を決定する。例えば、サブコンポーネントは、直列接続あるいは並列接続された１つ又は複数のバッテリセル及び電気部品などを含む。
【００３３】
図４Ａ〜図４Ｃは、本開示の側面に基づく設計レイアウト４００の例を示す。例えば、図４Ａに示すように、設計レイアウト４００は、直列に接続されたバッテリセル４０２と、バッテリセル４０４と、抵抗器４０６とを含む。また、設計レイアウト４００は、直列に接続されたバッテリセル４０８と、バッテリセル４１０と、抵抗器４１２とを含む。図４Ｂに示すように、直列に接続されたバッテリセル４０２、バッテリセル４０４、及び抵抗器４０６は、サブコンポーネント４１６である。直列に接続されたバッテリセル４０８、バッテリセル４１０、及び抵抗器４１２は、サブコンポーネント４１８である。サブコンポーネント４１６及びサブコンポーネント４１８は、ヒューズ４１４を用いて並列に接続される。
【００３４】
３０６において、バッテリ設計ツールは、バッテリ用設計レイアウトのサブコンポーネントを選択する。例えば、図４Ｂを参照すると、バッテリ設計ツール１０４は、テストを行うためにサブコンポーネント４１６を選択する。３０８において、バッテリ設計ツールは、選択された設計レイアウトのサブコンポーネントにおけるバッテリセル及び電気部品を特定する。例えば、図４Ｂを参照すると、バッテリ設計ツール１０４は、サブコンポーネント４１６が、バッテリセル４０２と、バッテリセル４０４と、抵抗器４０６とを含むことを特定する。
【００３５】
３１０において、バッテリ設計ツールは、スクリーニングを行うために、バッチからバッテリセル及び電気部品の組み合わせを選択する。例えば、ある側面において、バッテリ設計ツール１０４は、サブコンポーネントにおけるバッテリセル及び電気部品毎に１つのバッテリセル及び電気部品を選択する。例えば、図４Ｂを参照すると、バッテリ設計ツール１０４は、サブコンポーネント４１６のバッテリセル４０２、バッテリセル４０４、及び抵抗器４０６のためのスクリーニングを行うべく、２つのバッテリセル及び１つの抵抗器の組み合わせを選択する。
【００３６】
３１２において、バッテリ設計ツールは、選択されたバッテリセル及び電気部品の組み合わせが適合するか否かを判断する。例えば、ある側面において、バッテリ設計ツール１０４は、組み合わせにおけるバッテリセル及び電気部品の動作パラメータ、又は、動作パラメータのずれを比較する。この比較に基づいて、バッテリ設計ツール１０４は、バッテリセル及び電気部品の組み合わせが、サブコンポーネントにおいて使用可能な候補であるか否かを判断する。例えば、バッテリセル及び電気部品の組み合わせの動作パラメータあるいは動作パラメータのずれが所定閾値内である場合、バッテリ設計ツール１０４は、バッテリセル及び電気部品の組み合わせが適合すると判断する。
【００３７】
例えば、図４Ｂを参照すると、バッテリ設計ツール１０４は、サブコンポーネント４１６のバッテリセル４０２、バッテリセル４０４、及び抵抗器４０６用として選択された２つのバッテリセル及び１つの抵抗器の１つ又は複数の動作パラメータの標準偏差を比較する。各標準偏差が所定閾値（例えば、単位（１）標準偏差）内であれば、バッテリ設計ツール１０４は、選択された２つのバッテリセル及び１つの抵抗器の組み合わせが適合すると判断する。
【００３８】
３１４において、バッテリセル及び電気部品の組み合わせが適合する場合、バッテリ設計ツールは、当該バッテリセル及び電気部品の組み合わせを、サブコンポーネントのバッテリセル及び電気部品の組み合わせ候補として選択する。バッテリ設計ツール１０４は、組み合わせにおける１つ又は複数のバッテリセル及び電気部品の識別情報（例えば、シリアル番号）を、設計レイアウトにおける特定のバッテリセル及び電気部品に関連付けることにより、バッテリセル及び電気部品の組み合わせ候補を示す。
【００３９】
図４Ｂを参照すると、例えば、バッテリ設計ツール１０４は、選択された２つのバッテリセル及び１つの抵抗器の組み合わせが所定の閾値内であると判断する。バッテリ設計ツール１０４は、この組み合わせをサブコンポーネント４１６用の組み合わせ候補として記録する。
【００４０】
３１６において、バッテリ設計ツールは、サブコンポーネントのためにスクリーニングされる追加のバッテリセル及び電気部品がバッチに存在するか否かを判断する。追加のバッテリセルが存在する場合、バッテリ設計ツール１０４は、例えば、バッチから新たなバッテリセル又は電気部品を選択して、サブコンポーネントのための新たな組合せを作成する。バッテリ設計ツール１０４は、新たに選択されたバッテリセル又は電気部品からなる新たな組合せをスクリーニングする。すなわち、バッテリ設計ツール１０４は、３１０に戻って、新たに選択されたバッテリセル又は電気部品からなる新たな組合せをスクリーニングする。ある側面において、バッテリ設計ツール１０４は、バッテリセル又は電気部品の適合性が以前の反復中に判定されたか否かに関わらず、新たな組合せの作成、並びに、バッテリセル及び電気部品の組み合わせのスクリーニングを継続して行う。これにより、バッテリ設計ツール１０４は、サブコンポーネントで使用可能なバッテリセル及び電気部品の複数の組み合わせを決定することができる。
【００４１】
３１８において、バッテリ設計ツールは、追加のサブコンポーネントをテストする必要があるか否かを判断する。追加のサブコンポーネントをテストする必要がある場合、バッテリ設計ツール１０４は、残りのサブコンポーネントのために、３０６に戻り、３０６〜３１６の工程を繰り返す。ある側面では、あるバッテリセル又は電気部品が、あるサブコンポーネントの候補として既に選択されている場合、バッテリ設計ツール１０４は、当該バッテリセル又は電気部品をバッチから除いて、残りのバッテリセル及び電気部品を残りの他のサブコンポーネント用として用いる。またある側面では、バッテリ設計ツール１０４は、各サブコンポーネントに関するスクリーニングを、バッテリセル及び電気部品のバッチ全体にわたって行う。これにより、バッテリ設計ツール１０４は、設計レイアウトにおけるサブコンポーネント毎に、可能な組合せの全てを網羅するリストを生成することができる。全てのサブコンポーネントのテストが完了すると、バッテリ設計ツール１０４は、３２０の工程に進む。
【００４２】
３２０において、バッテリ設計ツールは、サブコンポーネントが、上位サブコンポーネントの一部であるか否かを判断する。ある側面において、例えば、サブコンポーネントが、上位サブコンポーネントの一部である場合、上位サブコンポーネントが正しく動作するように、サブコンポーネントにおけるバッテリセル及び電気部品の組み合わせをスクリーニングする。例えば、図４Ｃに示すように、サブコンポーネント４１６及びサブコンポーネント４１８がヒューズ４１４を用いて並列に接続されることにより、上位レベルサブコンポーネント４２０が形成される。
【００４３】
複数のサブコンポーネントが上位サブコンポーネントを形成する場合、３２２において、バッテリ設計ツールは、当該サブコンポーネントの組み合わせに対する等価動作パラメータを決定する。例えば、ある側面において、バッテリ設計ツール１０４は、組み合わせに係るバッテリセル及び電気部品の動作パラメータを数学的に結合することにより、当該組み合わせの等価動作パラメータを決定する。例えば、バッテリ設計ツール１０４は、組み合わせに係る動作パラメータの中央値や平均値、あるいは動作パラメータのずれなどの統計的尺度を算出する。
【００４４】
３２４において、バッテリ設計ツールは、上位サブコンポーネントにおけるサブコンポーネントの組み合わせが適合するか否かを決定する。いくつかの実施形態において、例えば、バッテリ設計ツール１０４は、上位サブコンポーネントにおいて組み合わされたサブコンポーネント毎に定まる等価動作パラメータを互いに比較する。この比較に基づいて、バッテリ設計ツール１０４は、サブコンポーネントの組み合わせを上位サブコンポーネントに用いることができるか否かを判断する。例えば、バッテリセル及び電気部品の組み合わせの動作パラメータ、又は、動作パラメータのずれが所定閾値内である場合、バッテリ設計ツール１０４は、当該バッテリセル及び電気部品の組み合わせが適合すると判断する。上位サブコンポーネントが単独のバッテリセル又は電気部品を含む場合、バッテリ設計ツール１０４は、上記の比較工程において、当該単独のバッテリセル又は電気部品の動作パラメータを選択し、比較に用いる。３２６において、組み合わせが適合する場合、バッテリ設計ツールは、当該組み合わせを組み合わせ候補として選択する。
【００４５】
３２８において、バッテリ設計ツールは、上位サブコンポーネントにおけるサブコンポーネントについて追加の組み合わせが存在するか否かを判断する。追加の組み合わせが存在する場合、例えば、バッテリ設計ツール１０４は、サブコンポーネントの新たな組合せを選択する。バッテリ設計ツール１０４は、上位サブコンポーネントにおけるサブコンポーネントの新たな組合せをスクリーニングする。バッテリ設計ツール１０４は、新たな組合せをスクリーニングするために３２２の工程に戻る。ある側面において、バッテリ設計ツール１０４は、サブコンポーネントの全ての組み合わせのテストが完了するまで、サブコンポーネントの組み合わせのスクリーニングを継続する。これにより、バッテリ設計ツール１０４は、サブコンポーネントの複数の組み合わせを決定することができる。
【００４６】
３２８の工程後、バッテリ設計ツールは、３２０に戻って、追加の上位サブコンポーネントが、バッテリ用設計レイアウトに存在するか否かを判断する。追加の上位サブコンポーネントをテストする必要がある場合、バッテリ設計ツール１０４は、残りの上位サブコンポーネントのために、３２２〜３２８の工程を繰り返す。ある側面において、設計レイアウトは、複数レベルのコンポーネントを含む。バッテリ設計ツール１０４は、サブコンポーネントのレベル毎に３２２〜３２８の工程を繰り返す。
【００４７】
上述した説明は例示的なものであり、当業者であれば、構成及び実施形態の改変を思いつくであろう。例えば、本明細書に開示される実施形態に関連して説明した様々な例示的な論理回路、論理ブロック、モジュール、及びその他の回路は、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタ論理回路、ディスクリートハードウェアコンポーネント、又は、これらのうち、本明細書で説明した機能を実行するために設計された任意の組み合わせを用いて、実施又は実行される。汎用プロセッサは、マイクロプロセッサであってもよいが、代替例においては、当該プロセッサは、従来のプロセッサ、コントローラ、マイクロコントローラ、又は、状態マシンのうち任意のものであってもよい。プロセッサは、例えば、演算装置の組み合わせとして実現してもよい。このような組合せには、例えば、ＤＳＰとマイクロプロセッサとの組み合わせ、複数のマイクロプロセッサ、ＤＳＰコアと連動する１つ又は複数のマイクロプロセッサ、又は、他の同様の構成がある。
【００４８】
１つ又は複数の例示的な実施形態において、上述した種々の機能は、ハードウェア、ソフトウェア、ファームウェア、又は、これらの任意の組み合わせにより実現される。ソフトウェアで実現する場合、本明細書に記載の技術は、本明細書に記載の機能を果たすモジュール（例えば、手順、機能、サブプログラム、プログラム、ルーチン、サブルーチン、モジュール、ソフトウェアパッケージ、クラスなど）を用いて実現される。モジュールは、情報、データ、引数、パラメータ、又は、メモリ内容を送出及び／又は受信することにより、他のモジュール又はハードウェア回路と結合することができる。情報、引数、パラメータ、データなどは、メモリ共有、メッセージパッシング（message passing）、トークンパッシング（token passing）、ネットワーク送信などを含む適切な手段のうちのいずれかを用いて、送出、転送、又は送信することができる。ソフトウェアコードは、メモリユニットに格納されて、プロセッサにより実行される。メモリユニットは、プロセッサ内またはプロセッサ外で実現され、後者の場合、当該メモリユニットは、当該技術分野において既知の様々な手段を介してプロセッサに通信可能に接続される。
【００４９】
例えば、図５は、コンピュータシステム１０２のハードウェア構成の例を示す。図５は、コンピュータ装置５００に含まれる様々なコンポーネントを示しているが、図５は、コンピュータ装置の一例を示したものであり、更にコンポーネントを追加することもできるし、既存のコンポーネントを除くこともできる。
【００５０】
コンピュータ装置５００は、如何なるタイプのコンピュータ装置であってもよい。図５に示すように、コンピュータ装置５００は、様々なコア構成及びクロック周波数を有する１つ又は複数のプロセッサ５０２を含む。コンピュータ装置５００は、当該コンピュータ装置５００の動作中にメインメモリとして機能する１つ又は複数のメモリデバイス５０４を更に含む。例えば、動作中、バッテリ設計ツール１０４を支援するソフトウェアのコピーが、１つ又は複数のメモリデバイス５０４に保存される。コンピュータ装置５００は、当該コンピュータ装置５００と人間との対話、及び、当該コンピュータ装置の操作を可能にするための、例えば、キーボード、マウス、タッチパッド、コンピュータスクリーン、タッチスクリーンなどの、１つ又は複数の周辺インターフェース５０６を更に含む。
【００５１】
コンピュータ装置５００は、例えば、ネットワーク１２０などの１つ又は複数のネットワークを介して通信するための、１つ又は複数のネットワークインターフェース５０８を更に含む。当該ネットワークインターフェースの例としては、プロトコルを用いて、有線又は無線の媒体を通じて通信するための、イーサネット（登録商標）・アダプタ、ワイヤレス送受信機、又は、シリアルネットワーク要素が挙げられる。コンピュータ装置５００は、画像、ファイル、及び、１つ又は複数のプロセッサ５０２により実行されるプログラム命令などのデータを記憶するための、様々な物理的寸法及び記憶容量を有する１つ又は複数の記憶装置５１０を更に含む。当該記憶装置の例としては、フラッシュドライブ、ハードドライブ、ランダムアクセスメモリなどが挙げられる。
【００５２】
これに加えて、コンピュータ装置５００は、上述したバッテリ設計ツール１０４の機能を実現する１つ又は複数のソフトウェアプログラム５１２を含む。１つ又は複数のソフトウェアプログラム５１２は、本明細書で説明したプロセスを、１つ又は複数のプロセッサ５０２に実行させる命令を含む。１つ又は複数のソフトウェアプログラム５１２のコピーは、１つ又は複数のメモリデバイス５０４及び／又は１つ又は複数の記憶装置５１０に保存される。更に、１つ又は複数のソフトウェアプログラム５１２により用いられるデータは、１つ又は複数のメモリデバイス５０４、及び／又は、１つ又は複数の記憶装置５１０に格納される。
【００５３】
コンピュータ装置５００は、上述したように、様々なデータ蓄積手段、メモリ、及び記憶媒体を含む。これらは、複数のコンピュータのうちの１つ又は複数に対してローカルな（及び／又はこれら内部に常駐する）記憶媒体上、或いは、ネットワークの任意又は全てのコンピュータからリモートな記録媒体上に設けられるなど、様々な場所に設けることが可能である。いくつかの実施態様において、当該技術分野の当業者によく知られたストレージエリアネットワーク（ＳＡＮ）に情報を常駐させてもよい。同様に、コンピュータ、サーバ、又は、他のネットワークデバイスに属する機能を実行するために必要なファイルは、必要に応じて、ローカル及び／又はリモートに格納することができる。
【００５４】
いくつかの実施態様において、上述したコンピュータ装置５００のコンポーネントは、単一の囲い内に設けられたり、互いに近い位置に設けられたりする必要はない。上述した構成部品は一例に過ぎず、コンピュータ装置５００は、開示された実施形態を実施するための任意のタイプのハードウェア部品を含み、更に、それに伴い必要なファームウェア又はソフトウェアを含むことを、当業者は理解するであろう。コンピュータ装置５００は、その一部又は全体を、特定用途向け集積回路（ＡＳＩＣｓ）、フィールドプログラマブルゲートアレイ（ＦＰＧＡｓ）などの電子回路部品又はプロセッサによって実現することもできる。
【００５５】
ソフトウェアで機能が実現される場合、当該機能は、１つ又は複数の命令又はコードとして、コンピュータ可読媒体に格納されるか、或いは当該媒体を通じて送信される。コンピュータ可読媒体は、有形の非一時的コンピュータ記憶媒体および通信媒体の双方があり、通信媒体には、コンピュータプログラムをある場所から別の場所に転送することを容易にする任意の媒体が含まれる。また、記憶媒体は、入手可能な有形の非一時的媒体で、コンピュータによりアクセス可能なものであればよい。一例として、限定するものではないが、このような有形の非一時的なコンピュータ可読媒体は、ＲＡＭ、ＲＯＭ、フラッシュメモリ、ＥＥＰＲＯＭ、ＣＤ−ＲＯＭ、若しくは他の光ディスクストレージ、磁気ディスクストレージ、若しくは他の磁気記憶装置などのような、命令又はデータ構造の形態で所望のプログラムコードを搬送又は格納するために用いられ、且つ、コンピュータによるアクセスが可能な媒体であればよい。本明細書で言うディスク（disk and disc）とは、ＣＤ、レーザーディスク（登録商標）(disc)、光ディスク(disc)、ＤＶＤ、フロッピーディスク（disk）、およびＢｌｕ−ｒａｙ(登録商標）ディスク（disc）などであって、一般に、磁気的にデータを再生するもの（disk）や、レーザを用いて光学的にデータを再生するもの(disc)がある。また、どのような接続手段も、コンピュータ可読媒体と称して差支えない。例えば、同軸ケーブル、光ファイバーケーブル、ツイストペア、デジタル加入者回線（ＤＳＬ）、又は、赤外線、電波、及びマイクロ波などの無線技術を用いて、ソフトウェアが、ウェブサイト、サーバ、又は他のリモートソースから送信される場合、同軸ケーブル、光ファイバーケーブル、ツイストペア、ＤＳＬ，又は、赤外線、電波、及びマイクロ波などの無線技術は、媒体の定義に含まれる。また、これらの組み合わせも、コンピュータ可読媒体の範囲に含まれる。
【００５６】
上述した種々の側面において、バッテリ設計ツール１０４は、任意の用途に用いられるバッテリ用設計レイアウトを決定するために用いることができる。図６は、バッテリ設計ツール１０４の用途の一例を示す。図６に示すように、航空機６００は、バッテリ６０２を有している。ある側面において、バッテリ設計ツール１０４は、バッテリ６０２の設計レイアウトを決定するために用いることができる。
【００５７】
さらに、本開示は、以下の付記による実施形態を含む。
【００５８】
付記１．本付記の方法は、以下を含む。
バッテリ用の設計レイアウトを決定する。当該設計レイアウトは、前記バッテリの所望の性能を達成するための、１つ又は複数のバッテリセル及び１つ又は複数の電気部品に係る電気的配置を含む。
前記バッテリにおいて使用可能なバッテリセル及び電気部品のバッチの動作パラメータを決定する。
バッテリセル及び電気部品の前記バッチから、前記設計レイアウトの前記電気的配置のための、少なくとも１つのバッテリセル及び少なくとも１つの電気部品を選択する。
前記少なくとも１つのバッテリセル及び前記少なくとも１つの電気部品の前記動作パラメータを比較する。
少なくとも部分的に前記比較に基づいて、前記少なくとも１つのバッテリセル及び前記少なくとも１つの電気部品の前記動作パラメータが所定閾値内であると判断する。
前記少なくとも１つのバッテリセル及び前記少なくとも１つの電気部品を、前記設計レイアウトの組み合わせ候補として選択する。
前記組み合わせ候補の指標を与える。
【００５９】
付記２．付記１に記載の方法は、更に以下を含む。
ユーザのために、前記バッテリの前記所望の性能を受信する。
前記バッテリの前記所望の性能を達成する前記設計レイアウトを生成する。
【００６０】
付記３．付記１又は２に記載の方法において、前記動作パラメータの決定は、以下を含む。
実際の条件下において、前記バッチにおける、１つ又は複数のバッテリセルの性能及び１つ又は複数の電気部品の性能をテストする。
前記１つ又は複数のバッテリセル及び前記１つ又は複数の電気部品の前記動作パラメータを計測する。
【００６１】
付記４．付記１〜３のいずれかに記載の方法は、更に以下を含む。
前記設計レイアウトのために、前記設計レイアウトのサブコンポーネントを決定する。当該サブコンポーネントは、１つ又は複数のバッテリセル及び１つ又は複数の電気部品の関連する電気配置を含んでいる。
前記組み合わせ候補を前記サブコンポーネントに関連付ける。
【００６２】
付記５．付記４に記載の方法において、前記関連する電気配置は、直列回路又は並列回路のうちの少なくとも一方を含んでいる。
【００６３】
付記６．付記４に記載の方法は、更に以下を含む。
前記設計レイアウトのために、前記設計レイアウトの追加のサブコンポーネントを決定する。当該追加のサブコンポーネントは、１つ又は複数のバッテリセル及び１つ又は複数の電気部品の関連する電気配置を含んでいる。
前記追加のサブコンポーネントのための第２組み合わせ候補を決定する。
【００６４】
付記７．付記６に記載の方法は、更に以下を含む。
前記組み合わせ候補及び前記第２組み合わせ候補のために、等価動作パラメータを決定する。
前記組み合わせ候補及び前記第２組み合わせ候補の前記等価動作パラメータを比較する。
少なくとも部分的に前記比較に基づいて、前記組み合わせ候補及び前記第２組み合わせ候補の前記等価動作パラメータが所定閾値内であると判断する。
前記設計レイアウトにおける、前記サブコンポーネントのための前記組み合わせ候補、及び、前記追加のサブコンポーネントのための前記第２組み合わせ候補を選択する。
【００６５】
付記８．付記１〜７のいずれかに記載の方法において、前記動作パラメータは、前記バッテリセル及び前記電気部品の理論上の性能からの、前記バッテリセル及び前記電気部品の実際の動作のずれを含む。
【００６６】
付記９．本付記のシステムは、以下を含む。
命令を格納する１つ又は複数のメモリデバイス。
前記１つ又は複数のメモリデバイスに接続されるとともに、前記命令を実行して以下の方法を実行するように構成された１つ又は複数のプロセッサ。
上記方法は、以下を含む。
バッテリ用の設計レイアウトを決定する。当該設計レイアウトは、前記バッテリの所望の性能を達成するための、１つ又は複数のバッテリセル及び１つ又は複数の電気部品に係る電気的配置を含む。
前記バッテリにおいて使用可能なバッテリセル及び電気部品のバッチの動作パラメータを決定する。
バッテリセル及び電気部品の前記バッチから、前記設計レイアウトの前記電気的配置のための、少なくとも１つのバッテリセル及び少なくとも１つの電気部品を選択する。
前記少なくとも１つのバッテリセル及び前記少なくとも１つの電気部品の前記動作パラメータを比較する。
少なくとも部分的に前記比較に基づいて、前記少なくとも１つのバッテリセル及び前記少なくとも１つの電気部品の前記動作パラメータが所定閾値内であると判断する。
前記少なくとも１つのバッテリセル及び前記少なくとも１つの電気部品を、前記設計レイアウトの組み合わせ候補として選択する。
前記組み合わせ候補の指標を与える。
【００６７】
付記１０．付記９に記載のシステムにおいて、前記命令を実行するように構成された前記１つ又は複数のプロセッサにより実行される前記方法は、更に以下を含む。
ユーザのために、前記バッテリの前記所望の性能を受信する。
前記バッテリの前記所望の性能を達成する前記設計レイアウトを生成する。
【００６８】
付記１１．付記９又は１０に記載のシステムにおいて、前記動作パラメータの決定は、以下を含む。
実際の条件下において、前記バッチにおける、１つ又は複数のバッテリセルの性能及び１つ又は複数の電気部品の性能をテストする。
前記１つ又は複数のバッテリセル及び前記１つ又は複数の電気部品の前記動作パラメータを計測する。
【００６９】
付記１２．付記９〜１１のいずれかに記載のシステムにおいて、前記命令を実行するように構成された前記１つ又は複数のプロセッサにより実行される前記方法は、更に以下を含む。
前記設計レイアウトのために、前記設計レイアウトのサブコンポーネントを決定する。当該サブコンポーネントは、１つ又は複数のバッテリセル及び１つ又は複数の電気部品の関連する電気配置を含んでいる。
前記組み合わせ候補を前記サブコンポーネントに関連付ける。
【００７０】
付記１３．付記１２に記載のシステムにおいて、前記関連する電気配置は、直列回路又は並列回路のうちの少なくとも一方を含んでいる。
【００７１】
付記１４．付記１２に記載のシステムにおいて、前記方法は、更に以下を含む。
前記設計レイアウトのために、前記設計レイアウトの追加のサブコンポーネントを決定する。当該追加のサブコンポーネントは、１つ又は複数のバッテリセル及び１つ又は複数の電気部品の関連する電気配置を含んでいる。
前記追加のサブコンポーネントのための第２組み合わせ候補を決定する。
【００７２】
付記１５．付記１４に記載のシステムにおいて、前記命令を実行するように構成された前記１つ又は複数のプロセッサにより実行される前記方法は、更に以下を含む。
前記組み合わせ候補及び前記第２組み合わせ候補のために、等価動作パラメータを決定する。
前記組み合わせ候補及び前記第２組み合わせ候補の前記等価動作パラメータを比較する。
少なくとも部分的に前記比較に基づいて、前記組み合わせ候補及び前記第２組み合わせ候補の前記等価動作パラメータが所定閾値内であると判断する。
前記設計レイアウトにおける、前記サブコンポーネントのための前記組み合わせ候補、及び、前記追加のサブコンポーネントのための前記第２組み合わせ候補を選択する。
【００７３】
付記１６．付記９〜１５のいずれかに記載のシステムにおいて、前記動作パラメータは、前記バッテリセル及び前記電気部品の理論上の性能からの、前記バッテリセル及び前記電気部品の実際の動作のずれを含む。
【００７４】
付記１７．本付記の非一時的なコンピュータ可読媒体は、１つ又は複数のプロセッサに以下の方法を実行させるための命令を格納する。
上記方法は、以下を含む。
バッテリ用の設計レイアウトを決定する。当該設計レイアウトは、前記バッテリの所望の性能を達成するための、１つ又は複数のバッテリセル及び１つ又は複数の電気部品に係る電気的配置を含む。
前記バッテリにおいて使用可能なバッテリセル及び電気部品のバッチの動作パラメータを決定する。
バッテリセル及び電気部品の前記バッチから、前記設計レイアウトの前記電気的配置のための、少なくとも１つのバッテリセル及び少なくとも１つの電気部品を選択する。
前記少なくとも１つのバッテリセル及び前記少なくとも１つの電気部品の前記動作パラメータを比較する。
少なくとも部分的に前記比較に基づいて、前記少なくとも１つのバッテリセル及び前記少なくとも１つの電気部品の前記動作パラメータが所定閾値内であると判断する。
前記少なくとも１つのバッテリセル及び前記少なくとも１つの電気部品を、前記設計レイアウトの組み合わせ候補として選択する。
前記組み合わせ候補の指標を与える。
【００７５】
付記１８．付記１７に記載の非一時的なコンピュータ可読媒体において、前記方法は、更に以下を含む。
ユーザのために、前記バッテリの前記所望の性能を受信する。
前記バッテリの前記所望の性能を達成する前記設計レイアウトを生成する。
【００７６】
付記１９．付記１７又は１８に記載の非一時的なコンピュータ可読媒体において、前記動作パラメータの決定は、以下を含む。
実際の条件下において、前記バッチにおける、１つ又は複数のバッテリセルの性能及び１つ又は複数の電気部品の性能をテストする。
前記１つ又は複数のバッテリセル及び前記１つ又は複数の電気部品の前記動作パラメータを計測する。
【００７７】
付記２０．付記１７〜１９のいずれかに記載の非一時的なコンピュータ可読媒体において、前記方法は、更に以下を含む。
前記設計レイアウトのために、前記設計レイアウトのサブコンポーネントを決定する。当該サブコンポーネントは、１つ又は複数のバッテリセル及び１つ又は複数の電気部品の関連する電気配置を含んでいる。
前記組み合わせ候補を前記サブコンポーネントに関連付ける。
前記設計レイアウトのために、前記設計レイアウトの追加のサブコンポーネントを決定する。当該追加のサブコンポーネントは、１つ又は複数のバッテリセル及び１つ又は複数の電気部品の関連する電気配置を含んでいる。
前記追加のサブコンポーネントのための第２組み合わせ候補を決定する。
前記組み合わせ候補及び前記第２組み合わせ候補のために、等価動作パラメータを決定する。
前記組み合わせ候補及び前記第２組み合わせ候補の前記等価動作パラメータを比較する。
少なくとも部分的に前記比較に基づいて、前記組み合わせ候補及び前記第２組み合わせ候補の前記等価動作パラメータが所定閾値内であると判断する。
前記設計レイアウトにおける、前記サブコンポーネントのための前記組み合わせ候補、及び、前記追加のサブコンポーネントのための前記第２組み合わせ候補を選択する。
【００７８】
本開示について、その実施例を参照しながら説明を行ったが、当業者であれば、本開示の真の思想及び範囲から逸脱することなく様々な変更を加えることが可能であろう。本明細書で用いる用語及び説明は、例示に過ぎず、限定を意味するものではない。例えば、プロセスについて、複数の例を挙げて説明しているが、これらのプロセスの工程は、説明している順序とは異なる順序で行ってもよいし、同時に行ってもよい。更に、「含み」、「含む」、「有し」、「有する」、「備える」等、種々の表現が、詳細な説明で用いられているが、これらは、他の要素が排除されず、包括的に具備されることを意図したものである。本明細書において、「〜のうちの１つ又は複数」及び「〜のうちの少なくとも１つ」という表現が、例えば、アイテムＡ及びＢからなるリストについて用いられる場合、これらの表現は、Ａのみ、Ｂのみ、或いは、Ａ及びＢであることを意味する。更に、特に明記しない場合、「〜の組」という表現は、「１つ又は複数の〜」と解釈されるべきである。また、「接続する／結合する」等の表現は、間接的又は直接的な接続を意味している。したがって、第１装置が第２装置に接続している場合、その接続は、直接的な接続である場合もあるし、他の装置、コンポーネント、及び接続を介した間接的な接続である場合もある。
【図１】
2017098228.tif 000003
【図２】
2017098228.tif 000004
【図３Ａ】
2017098228.tif 000005
【図３Ｂ】
2017098228.tif 000006
【図４Ａ】
2017098228.tif 000007
【図４Ｂ】
2017098228.tif 000008
【図４Ｃ】
2017098228.tif 000009
【図５】
2017098228.tif 000010
【図６】
2017098228.tif 000011
【外国語明細書】
2017098228000001.pdf
2017098228000002.pdf
2017098228000003.pdf
2017098228000004.pdf